(57)【要約】【課題】撮像素子周辺に異物が付着することを防止したカメラシステムを提供する。【解決手段】撮影レンズ１８からの光束により撮像を行う撮像素子３４と、前記光束を反射する観察位置と前記光束を反射しない撮影位置との間で移動可能なメインミラー４６と、前記メインミラーが移動する際、前記メインミラーと前記撮像素子とにより形成される空間に移動する移動部材４２と、を有するカメラシステム。【選択図】  図４
2009267957.tif 000002
【特許請求の範囲】
【請求項１】
撮影レンズからの光束により撮像を行う撮像素子と、
前記光束を反射する観察位置と前記光束を反射しない撮影位置との間で移動可能なメインミラーと、
前記メインミラーが移動する際、前記メインミラーと前記撮像素子とにより形成される空間に移動する移動部材と、を有することを特徴とするカメラシステム。
【請求項２】
前記移動部材は、前記メインミラーが前記観察位置または前記撮影位置にある際、前記光束を反射しない第１位置に位置することを特徴とする請求項１に記載のカメラシステム。
【請求項３】
前記移動部材は、回動することにより前記空間に移動することを特徴とする請求項１または２に記載のカメラシステム。
【請求項４】
前記移動部材は、前記メインミラーが移動する際、前記撮像素子に対向する第２位置に位置することを特徴とする請求項１〜３に記載のカメラシステム。
【請求項５】
前記移動部材は、
前記メインミラーが前記観察位置または前記撮影位置にある際、前記光束を反射しない第１位置に位置し、
前記メインミラーが前記観察位置から前記撮影位置に移動する間に、前記第１位置と前記空間との間を往復することを特徴とする請求項１〜４に記載のカメラシステム。
【請求項６】
前記メインミラーが内部に配置されたミラーボックスを有し、
前記移動部材は、前記空間に移動することによって前記ミラーボックス内の空気流を調整することを特徴とする請求項１〜５に記載のカメラシステム。
【請求項７】
前記移動部材は、前記ミラーボックス内の空気流を調整する平板部と、前記平板部に対して傾斜している縁部と、を有することを特徴とする請求項６に記載のカメラシステム。
【請求項８】
前記メインミラーが内部に配置されたミラーボックスを有し、
前記ミラーボックスは、外部へ空気流を排出可能な開口部を有し、
前記移動部材は、前記メインミラーが前記観察位置または前記撮影位置にある際、前記開口部の少なくとも一部を遮蔽することを特徴とする請求項７に記載のカメラシステム。
【請求項９】
前記メインミラーが内部に配置されたミラーボックスを有し、
前記撮影位置において前記メインミラーは前記ミラーボックスの一面に略平行であり、
前記メインミラーが前記観察位置または前記撮影位置にある際、前記移動部材は前記ミラーボックスの前記一面と対向する面に略平行であることを特徴とする請求項１〜８に記載のカメラシステム。
【発明の詳細な説明】
【技術分野】
【０００１】
本発明は、カメラシステムに関し、より詳細には、撮像素子周辺に異物が付着することを防止したカメラシステムに関する。
【背景技術】
【０００２】
近年、レンズ交換式デジタルカメラなどでは、撮像素子の周辺に配置されたフィルタ等の表面に異物が付着し、撮影した映像に異物が写りこむ等の問題が発生している。撮像素子周辺に異物が付着するメカニズムとしては様々なものが考えられるが、例えば、カメラ内部に存在する異物が、振動もしくは空気の流れ等によって撮像素子周辺に向かって移動し、撮像素子周辺に付着する場合があると考えられる。
【０００３】
この問題に対応したカメラシステムとして、例えば、ミラーボックスの下方に設けたＬＥＤ等によって撮像素子を照明し、このとき撮像素子から出力される出力信号から、撮像素子近傍に付着した異物の有無を検出するカメラシステムが提案されている（特許文献１）。
【０００４】
しかし、従来技術に関するカメラシステムは、異物の付着自体を抑制するものではない。したがって、例えばカメラ内部に異物が比較的多く存在するような場合には、異物を検出する頻度が上昇し、異物を除去する動作を頻繁に行う必要があるという問題を有していた。
【特許文献１】特開２００２−３００４４２号公報
【発明の開示】
【発明が解決しようとする課題】
【０００５】
本発明は、このような実情に鑑みてなされ、その目的は、撮像素子周辺に異物が付着することを防止したカメラシステムを提供することである。
【課題を解決するための手段】
【０００６】
上記課題を解決するために、本発明に係るカメラシステムは、
撮影レンズ（１８）からの光束により撮像を行う撮像素子（３４）と、
前記光束を反射する観察位置と前記光束を反射しない撮影位置との間で移動可能なメインミラー（４６）と、
前記メインミラーが移動する際、前記メインミラーと前記撮像素子とにより形成される空間に移動する移動部材（４２）と、を有することを特徴とする。
【０００７】
また、例えば、前記移動部材は、前記メインミラーが前記観察位置または前記撮影位置にある際、前記光束を反射しない第１位置に位置してもよい。
【０００８】
また、例えば、前記移動部材は、回動することにより前記空間に移動してもよい。
【０００９】
また、例えば、前記移動部材は、前記メインミラーが移動する際、前記撮像素子に対向する第２位置に位置してもよい。
【００１０】
また、例えば、前記移動部材は、
前記メインミラーが前記観察位置または前記撮影位置にある際、前記光束を反射しない第１位置に位置し、
前記メインミラーが前記観察位置から前記撮影位置に移動する間に、前記第１位置と前記空間との間を往復してもよい。
【００１１】
また、例えば、本発明に係るカメラシステムは、前記メインミラーが内部に配置されたミラーボックス（２０，２０ａ）を有し、
前記移動部材は、前記空間に移動することによって前記ミラーボックス内の空気流を調整してもよい。
【００１２】
また、例えば、前記移動部材は、前記ミラーボックス内の空気流を調整する平板部（４２ｂ）と、前記平板部に対して傾斜している縁部（４２ａ）と、を有していてもよい。
【００１３】
また、例えば、本発明に係るカメラシステムは、前記メインミラーが内部に配置されたミラーボックスを有し、
前記ミラーボックスは、外部へ空気流を排出可能な開口部（５６）を有し、
前記移動部材は、前記メインミラーが前記観察位置または前記撮影位置にある際、前記開口部の少なくとも一部を遮蔽していてもよい。
【００１４】
また、例えば、本発明に係るカメラシステムは、前記メインミラーが内部に配置されたミラーボックスを有し、
前記撮影位置において前記メインミラーは前記ミラーボックスの一面（２４ａ）に略平行であり、
前記メインミラーが前記観察位置または前記撮影位置にある際、前記移動部材は前記ミラーボックスの前記一面と対向する面（３９ａ，３９ｂ）に略平行であってもよい。
【００１５】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１６】
以下、本発明を、図面に示す実施形態に基づき説明する。
図１は、本発明の一実施形態に係るデジタル一眼レフカメラの概略断面図、
図２は、図１に示すミラーボックス周辺を拡大して表した模式図であり、移動部材が第１位置に位置し、メインミラーが観察位置に位置する状態を表した図、
図３は、図２に示すミラーボックス周辺の他の状態を表した模式図であり、移動部材が第１位置から第２位置に移動する状態を表した図、
図４は、図２に示すミラーボックス周辺の他の状態を表した模式図であり、移動部材が第２位置に位置する状態を表した図、
図５は、図２に示すミラーボックス周辺の他の状態を表した模式図であり、移動部材が第２位置から第１位置に移動する状態を表した図、
図６は、図２に示すミラーボックス周辺の他の状態を表した模式図であり、移動部材が第１位置に位置し、メインミラーが撮影位置に位置する状態を表した図、
図７は、本発明の第２実施形態に係るカメラにおけるミラーボックス周辺を拡大して表した模式図であり、移動部材が第１位置に位置し、メインミラーが観察位置に位置する状態を表した図、
図８は、図７に示すミラーボックス周辺の他の状態を表した模式図であり、移動部材が第２位置に位置する状態を表した図、
図９は、本発明の一実施形態に係る一眼レフカメラの概要を表すブロック図、
図１０は、図２に示す移動部材を表した斜視図である。
第１実施形態
【００１７】
図１は、本発明の一実施形態に係るデジタル一眼レフカメラ１０の概略断面図である。カメラ１０は、カメラボディ１２と交換レンズ１４を有しており、交換レンズ１４は、レンズマウント１６を介してカメラボディ１２に取り付けられている。
【００１８】
交換レンズ１４は、撮影レンズ１８を有しており、撮影レンズ１８を介してカメラボディ１２の内部に被写体光を導く。また、カメラボディ１２の内部には、ミラーボックス２０、ファインダユニット２２、シャッタユニット３８、光学フィルタ３２および撮像素子３４等が具備してある。
【００１９】
ミラーボックス２０の内部には、ミラーユニット４０が配置されている。図１において、ミラーユニット４０のメインミラー４６は観察位置にある。観察位置にあるメインミラー４６は、交換レンズ１４の撮影レンズ１８から導かれた被写体光を反射し、被写体光をファインダユニット２２に導く。
【００２０】
ファインダユニット２２は、ファインダスクリーン２４、ペンタプリズム２６および接眼レンズ２８等を有している。撮影者は、ファインダユニット２２を介して、被写体像を視認することができる。
【００２１】
カメラボディ１２の背面には、背面液晶パネル３６が備えられている。背面液晶パネル３６は、カメラボディ１２内部の制御回路によって制御され、メモリカードに記憶されている画像や、カメラ１０の設定に関する情報等を表示することができる。
【００２２】
なお、各部材の配置については、交換レンズ１４に備えられる撮影レンズ１８によって導入された被写体光が、撮像素子３４に向かって、進行する方向をＸ軸の正方向として説明を行う。また、メインミラー４６で反射された撮影光が、ペンタプリズム２６に向かって進行する方向をＺ軸の正方向、Ｘ軸方向およびＺ軸方向に直交する方向をＹ方向として説明を行う。なお、図１において、ミラーボックス２０の内部は、ミラーボックス２０内部の部品を見やすくするために、側面図で表している。
【００２３】
図２は、図１に示すミラーボックス２０周辺を拡大して表した模式図である。ミラーボックス２０の周辺には、図１に示すように、ファインダスクリーン２４、撮影レンズ１８、測距部３９およびシャッタユニット３８等が配置されている。ミラーボックス２０は、周辺に配置されたシャッタユニット３８等とは独立した部材であってもよいが、周辺に配置された他の部材と一体となっていてもよい。
【００２４】
本実施形態に係るミラーボックス２０は、ミラーボックス２０の周辺に配置された他の部材と一体となって構成されている。すなわち、ミラーボックス２０のＺ軸正方向側の面であるミラーボックス上面２４ａの一部は、ファインダスクリーン２４のＺ軸負方向側の面によって構成されている。また、ミラーボックス２０のＺ軸負方向側の面であるミラーボックス下面３９ａの一部は、測距部３９のＺ軸正方向側の面によって構成されている。
【００２５】
さらに、ミラーボックス２０のＸ軸負方向側の面であるミラーボックス前面１８ａの一部は、撮影レンズ１８のＸ軸正方向側の面によって構成されている。また、ミラーボックス２０のＸ軸正方向側の面であるミラーボックス後面３８ａの一部は、シャッタユニット３８のＸ軸負方向側の面によって構成されている。
【００２６】
ミラーボックス２０の内部には、メインミラー４６およびサブミラー４８を有するミラーユニット４０と、移動部材４２とが備えられている。本実施形態に係るカメラにおいて、メインミラー４６の一方の端部４６ａは、Ｙ軸方向に沿ったミラー回動軸Ｂに対して移動自在に取り付けられており、メインミラー４６はミラー回動軸Ｂを中心として回動することができる。ミラー回動軸Ｂに取り付けられている一方の端部４６ａは、ミラーボックス上面２４ａおよびミラーボックス後面３８ａに近接する角部に配置されている。
【００２７】
メインミラー４６は、ミラー回動軸Ｂを中心として、図２に示す観察位置と、図６に示す撮影位置との間を回動することができる。メインミラー４６が観察位置に位置するとき、ミラー回動軸Ｂに取り付けられている一方の端部４６ａとは反対側の端部である他方の端部４６ｂは、ミラーボックス前面１８ａおよびミラーボックス下面３９ａに近接する角部に位置する。
【００２８】
観察位置に位置するメインミラー４６は、ミラーボックス前面１８ａからミラーボックス２０の内部に導かれた被写体光を、ミラーボックス上面２４ａに向かって反射する。メインミラー４６に反射された被写体光は、ファインダスクリーンおよびペンタプリズム等を有するファインダユニットに導かれ、ファインダユニットを覗く観察者の目に到達する。
【００２９】
また、メインミラー４６が観察位置に位置するとき、メインミラー４６に取り付けられているサブミラー４８は、メインミラー４６に対して略９０度の角度を有するように配置されている。サブミラー４８は、メインミラー４６を透過した被写体光の一部を、ミラーボックス下面３９ａ側に配置された測距部３９に導くことができる。測距部３９は、被写体光から、被写体とカメラとの距離に関する情報を取得する。なお、本実施形態におけるサブミラー４８は、キャッチャーピン５０に係合するフック５１を有している。
【００３０】
それに対して、図６に示すように、メインミラー４６が撮影位置に位置するとき、他方の端部４６ｂは、ミラーボックス前面１８ａおよびミラーボックス上面２４ａに近接する角部に位置する。撮影位置に位置するメインミラー４６は、被写体光の光路から退避させられており、ミラーボックス前面１８ａからミラーボックス２０の内部に導かれた被写体光を反射しない。したがって、被写体光はミラーボックス２０の内部を、ミラーボックス前面１８ａからミラーボックス後面３８ａに向かって直進する。
【００３１】
メインミラー４６が撮影位置に位置した状態で、シャッターユニット３８のシャッタ幕を開くことによって、被写体光は、ミラーボックス２０を通過し、さらに光学フィルタ３２を透過して撮像素子３４に到達する。撮像素子３４は、被写体光を光電交換して撮像を行う。また、メインミラーが撮影位置に位置するとき、サブミラー４８は、メインミラー４６と略平行になるように、メインミラー４６に対して折り畳まれている。したがって、メインミラー４６が撮影位置に位置した状態では、メインミラー４６と同時に、サブミラー４８も被写体の光路から退避させられている。
【００３２】
図２に示す移動部材４２は、Ｙ軸方向に沿った回動軸Ａに対して相対移動可能に取り付けられている基部４２ｃと、基部４２ｃとは反対側の端部である縁部４２ａと、基部４２ｃと縁部４２ａとを接続する平板部４２ｂを有している（図１０）。図１０に示すように、縁部４２ａは、平板部４２ｂに対して傾斜している。基部４２ｃから縁部４２ａまでの長さは、他の部材（特にメインミラー４６とサブミラー４８）と接触しない長さや形状であれば特に限定されないが、例えばメインミラー４６における一方の端部４６ａから他方の端部４６ｂまでの長さの３０％から５０％程度の長さとすることができる。
【００３３】
本実施形態では、図２に示す回動軸Ａは、ミラーボックス下面３９ａに設けられている。移動部材４２は、回動軸Ａを中心として、図２に示す第１の位置から、図４に示す第２の位置まで回動することができる。図２に示す第１の位置では、移動部材４２の平板部４２ｂは、ミラーボックス下面３９ａに接している。それに対して、図４に示す第２の位置では、移動部材４２の平板部４２ｂは、ミラーボックス下面３９ａから離れており、メインミラー４６と撮像素子３４とにより形成される空間に縁部４２ａが位置し、ミラーボックス下面３９ａに対して所定の角度を有している。
【００３４】
移動部材４２の平板部４２ｂおよび縁部４２ａは、後述のように、メインミラー４６の回動に同期して移動し、メインミラー４６の回動によって生じる空気流を制御することができる。すなわち、移動部材４２が、図２に示す第１の位置から移動すると、移動部材４２の平板部４２ｂがミラーボックス下面３９ａから離れて、ミラーボックス下面３９ａに対して０度より大きく９０度より小さい角度を有し、撮像素子３４に対向する。したがって、移動部材４２は、メインミラー４６の回動によって生じる空気の流れのうち、特にミラーボックス前面１８ａからミラーボックス後面３８ａに向かう空気の流れを弱めることができる。
【００３５】
図９は、本発明の一実施形態に係る一眼レフカメラ１０の概要を表すブロック図である。カメラ１０は、カメラ１０全体の動作を制御する制御回路６８を有している。制御回路６８は、カメラ１０に備えられた他の部分から信号を受信することができる。また制御回路６８は、必要に応じて演算等を行ったり、カメラ１０に備えられた他の部分に対して、他の部分を制御するための信号を送信することができる。
【００３６】
撮影レンズ検出部６２は、撮影レンズ１８を備える交換レンズが、カメラボディに取り付けられたことを検出し、制御回路６８に検出信号を送ることができる。制御回路６８は、撮影レンズ１８を備える交換レンズが、カメラボディに適切に取り付けられていることを確認したうえで、カメラ１０に撮影動作を行わせることができる。カメラ１０には、電源部６４が備えられており、制御回路６８は、カメラ１０の各部分に電力を供給することができる。
【００３７】
ミラー駆動回路６６は、制御回路６８からの制御を受けて、ミラーボックスの内部に備えられたミラーユニット４０を駆動する。例えば撮影動作において、制御回路６８は、操作部７０からの操作信号を受けて、ミラー駆動回路６６に制御信号を発信する。制御信号を受信したミラー駆動回路６６は、ミラーユニット４０のメインミラー４６を回動させる。
【００３８】
ミラーユニット４０のメインミラー４６によって反射されていた被写体光は、ミラーユニット４０のメインミラー４６が回動させられることによって、ファインダユニット２２の側からシャッタユニット３８の側へ進行方向を変化させられる。制御回路６８は、ミラーユニット４０のメインミラー４６を回動させる際、シャッタユニット３８を制御してシャッタを開き、露光動作を行う。撮像素子３４は、シャッタが開かれることによって導かれた被写体光を光電交換し、撮像を行う。
【００３９】
図４等に示すミラーユニット４０のメインミラー４６は、ミラーボックス２０の内部を回動する際、ミラーボックス前面１８ａからミラーボックス後面３８ａに向かう空気の流れを発生させる場合がある。このとき、ミラーボックス２０の内部に異物が存在する場合は、ミラーボックス前面１８ａからミラーボックス後面３８ａに向かう空気の流れに乗って、異物が移動する。メインミラー４６が回動した際にシャッタが開くため、ミラーボックス前面１８ａから後面３８ａに向かう空気の流れが強い場合は、空気の流れに乗って移動する異物が、撮像素子３４周辺の光学フィルタ３２等に到達し、光学フィルタ３２等に付着する可能性が高くなる。
【００４０】
本実施形態に係るカメラ１０において、図１０に示すミラー駆動回路６６は、ミラーユニット４０だけでなく、移動部材４２も駆動することができる。ミラー駆動回路６６は、図４等に示すメインミラーの回動に同期させて、移動部材４２を回動させることによって、ミラーボックス前面１８ａから後面３８ａに向かう空気の流れを弱めることができる。したがって、ミラーボックス２０の内部に存在する異物が、空気の流れに乗って光学フィルタ３２等に到達して光学フィルタ３２等に付着することを防止できる。
【００４１】
図９に示すカメラ１０は、メモリカードスロット７４を有しており、メモリカードスロット７４にはメモリカード７６が挿入されている。制御回路６８は、撮像素子３４で撮像された画像を、メモリカード７６に記録することができる。また、カメラ１０は、カメラボディ内部に内蔵されたメモリ７２を有しており、撮像された画像は、メモリ７２に記録されてもよい。
【００４２】
以下に、図２〜図６に示す模式図を用いて、一連の撮影動作におけるミラーユニット４０および移動部材４２の動きと、ミラーボックス２０の周辺に発生する空気の流れについて説明する。レリーズボタン等によって構成される操作部７０（図９）から、制御回路６８に撮像信号が入力される前の段階では、メインミラー４６は、図２に示すように、観察位置に配置されている。また、移動部材４２は、第１の位置に配置されている。撮像動作において、メインミラー４６および移動部材４２は、ミラー回動軸Ｂまたは回動軸Ａを中心として回動し、メインミラー４６および移動部材４２の配置は、図２から図６に示すように、順次変化する。
【００４３】
図９に示す操作部７０から撮像信号が入力されると、ミラー駆動回路６６は、制御回路６８からの制御を受けて、ミラーユニット４０および移動部材４２の駆動を開始する。まず、ミラー駆動回路６６は、サブミラー４８を移動させることによって、サブミラー４８のフック５１とキャッチャーピン５０との係合を解除し、さらに、メインミラー４６を、ミラー回動軸Ｂを中心として回動させる（図３）。図３は、メインミラー４６が、観察位置から撮像位置に向かって移動を開始した直後の状態を表したものである。
【００４４】
図３において、メインミラー４６の他方の端部４６ｂは、ミラーボックス下面３９ａに近接する位置から、ミラーボックス上面２４ａに近接する位置に向かって移動を開始している。本実施形態に係るミラーボックス２０の内部は、必ずしも密閉空間とはなっていないが、周辺を多くの部材で覆われているため、ミラーボックス２０の内部で発生した空気の流れは、ミラーボックス２０の内部を循環する傾向にある。
【００４５】
したがって、メインミラー４６の他方の端部４６ｂが移動を始めると、図３の矢印８０で示すように、他方の端部４６ｂの移動方向とは逆方向であるミラーボックス上面２４ａから下面３９ａに向かう空気の流れが発生する。特に、ミラーボックス２０がコンパクトに作製されているカメラ１０においては、他方の端部４６ｂと、ミラーボックス前面１８ａとの間隙が狭いため、メインミラー４６が発生させる空気の流れが強くなる傾向にある。
【００４６】
図９に示すミラー駆動回路６６は、図３に示すメインミラー４６を駆動するのに同期して、移動部材４２を駆動する。移動部材４２は、回動軸Ａを中心として回動を開始し、移動部材４２の縁部４２ａおよび平板部４２ｂが、ミラーボックス下面３９ａから離れる。すなわち、移動部材４２は、メインミラー４６の他方の端部４６ｂと、ミラーボックス下面３９ａとの間の空間を塞ぐように回動する。
【００４７】
したがって、メインミラー４６が移動する際に発生させる空気の流れ（矢印８０）は、移動部材４２によって遮られる。すなわち移動部材４２は、ミラーボックス下面３９ａに沿って、ミラーボックス前面１８ａからミラーボックス後面３８ａに向かう空気の流れを遮り、弱めることができる。なお、移動部材４２は、メインミラー４６と同時に回動を開始してもよく、また、メインミラー４６が回動を始める直前または直後に回動を開始してもよい。
【００４８】
図４では、図３に示す状態からメインミラー４６がさらに回動し、メインミラー４６の他方の端部４６ｂが、ミラーボックス下面３９ａからさらに離れている。移動部材４２は、図３に示す状態からさらに回動し、第２の位置に位置している。
【００４９】
移動部材４２が第２の位置に位置しているとき、移動部材４２の平板部４２ｂは、ミラーボックス下面３９ａに対して０度より大きく９０度より小さい所定の角度を有する。平板部４２ｂとミラーボックス下面３９ａとの間に形成される所定の角度は特に限定されないが、前記所定の角度は、移動部材４２とミラーユニットとが衝突しないように設計される。また、第２の位置における平板部４２ｂの角度は、メインミラー４６が発生させる空気の流れを効果的に弱めることや、移動部材４２自体が発生させる空気の流れを強くしすぎないことなどを考慮して設計される。
【００５０】
第２の位置に位置している移動部材４２は、メインミラー４６の下方（Ｚ軸負方向側）の空間を遮っているので、メインミラー４６が移動する際に発生させる空気の流れ（矢印８２）を遮ることができる。したがって、第２の位置に位置している移動部材４２は、ミラーボックス前面１８ａからミラーボックス後面３８ａに向かう空気の流れを弱めることができる。
【００５１】
図３の矢印８３に示すように、移動部材４２を用いることにより、縁部４２ａを周り込む空気の流れ（矢印８３）は、メインミラー４６が発生させる空気の流れ（矢印８２）に対して十分に弱められている。特に、本実施形態に係る移動部材４２の縁部４２ａは、平板部４２ｂに対して傾斜しているため、ミラーボックス前面１８ａ側から後面３８ａ側へ空気が回り込む現象が抑制されている。
【００５２】
なお、図４に示す状態では、サブミラー４８がメインミラー４６に対して折り畳まれ始めており、移動部材４２の背面（Ｘ軸正方向側の面）に接近している。したがって、縁部４２ａを周り込む空気の流れ（矢印８３）は、サブミラー４８によっても弱められる。
【００５３】
図５では、図４に示す状態からメインミラー４６がさらに回動し、メインミラー４６の他方の端部４６ｂは、ミラーボックス下面３９ａからさらに離れている。また、ミラーユニット４０のサブミラー４８は、メインミラー４６に対して折り畳まれつつある。
【００５４】
移動部材４２は、図４に示す第２の位置から、再び図２に示す第１の位置に向かって移動している途中である。このように、本実施形態では、移動部材４２を第１の位置と第２の位置との間で往復運動させる。これによって、移動部材４２は、メインミラー４６またはサブミラー４８と衝突することを回避しながら、ミラーボックス２０の内部の空気の流れを効果的に制御できる。また、移動部材４２の縁部４２ａの軌跡と、メインミラーの他方の端部４６ｂと軌跡が交わっているため、ミラーボックス２０の内部の空気の流れを効果的に制御できると同時に、ミラーボックス２０をコンパクトにできる。
【００５５】
移動部材４２は、図５に示す位置においても、メインミラー４６およびサブミラー４８の下方（Ｚ軸負方向側）の空間を遮っているので、メインミラー４６が移動する際に発生させる空気の流れ（矢印８４）を遮ることができる。したがって移動部材４２は、ミラーボックス前面１８ａからミラーボックス後面３８ａに向かう空気の流れを弱めることができる。
【００５６】
また、移動部材４２を用いることにより、縁部４２ａを周り込む空気の流れ（矢印８５）は、メインミラー４６が発生させる空気の流れ（矢印８４）に対して十分に弱められている。また、サブミラー４８は、縁部４２ａを周り込む空気の流れ（矢印８５）や、メインミラー４６が発生させる空気の流れ（矢印８４）を弱めることができる。
【００５７】
図６では、図５に示す状態からメインミラー４６がさらに回動し、メインミラー３６は撮影位置に位置している。撮影位置に位置するメインミラー４６は、ミラーボックス上面２４ａに近接し、かつ、ミラーボックス上面２４ａに対して略平行になるように配置されている。また、サブミラー４８はメインミラー４６に対して折り畳まれている。さらに、移動部材４２は、図５に示す状態からさらに第１の位置に向かって回動し、図６では第１の位置に位置している。第１の位置に位置する移動部材４２は、ミラーボックス上面２４ａに対向するミラーボックス下面３９ａに近接し、かつ、ミラーボックス下面３９ａに対して略平行になるように配置されている。
【００５８】
図６に示す状態では、ミラーユニット４０および移動部材４２は、被写体光の光路から退避させられており、ミラーボックス前面１８ａからミラーボックス２０の内部に入射した被写体光は、ミラーボックス後面３８ａに到達する。ここで、図９に示す制御回路６８は、シャッタユニット３８のシャッタ（不図示）を開いて被写体光を撮像素子３４に導くようにシャッタユニット３８を制御し、露光動作を行う。
【００５９】
本実施形態に係るカメラ１０では、メインミラー４６が観察位置から撮影位置に向かって移動する際に、移動部材４２がメインミラー４６と同期して回動することによって、ミラーボックス前面１８ａから後面３８ａに向かう空気の流れを弱めている。したがって、ミラーボックス２０の内部に異物が存在する場合であっても、当該異物が、空気の流れに乗って撮像素子３４の方向へ向かって移動する現象を抑制できる。これにより、メインミラー４６が観察位置から撮影位置に移動した直後に、シャッタユニット３８のシャッタを開いて露光動作が行われる場合であっても、ミラーボックス２０内等に存在していた異物が移動し、撮像素子３４周辺の部材に付着することを防止できる。
【００６０】
すなわち、本実施形態に係るカメラ１０は、ミラーボックス２０の周辺の異物が、メインミラー４６の回動によって発生させられた空気の流れに乗って撮像素子３４付近まで移動し、光学フィルタ３２等に付着する現象を防止することができる。本実施形態に係るカメラ１０は、光学フィルタ３２等に異物が付着するのを抑制することができるため、撮像した画像に異物が写り込む現象を防止することができる。また、本実施形態に係るカメラ１０によれば、光学フィルタ３２等に付着した異物の除去動作を行う頻度を低減することができる。
第２実施形態
【００６１】
図７は、本発明の第２実施形態に係るカメラにおけるミラーボックス２０ａの周辺を拡大して表した模式図である。第２実施形態に係るカメラに備えられたミラーボックス２０ａのミラーボックス下面３９ｂには、メインミラー４６の回動によって発生させられ空気の流れをミラーボックス２０ａの外に導く貫通孔５６が形成されている。第２実施形態に係るカメラは、ミラーボックス下面３９ｂに貫通孔５６が形成されている以外は、第１実施形態に係るカメラと同様である。
【００６２】
図７において、メインミラー４６は観察位置に、移動部材４２は第１の位置にそれぞれ位置しており、一連の撮影動作が始まる前におけるミラーボックス２０ａ内部の状態を表している。第２実施形態に係るカメラに備えられたミラーボックス２０ａにおいて、図７に示す状態は、第１実施形態に係るカメラに備えられたミラーボックス２０における図２に示す状態に相当する。
【００６３】
図８は、第２実施形態に係るカメラに備えられたミラーボックス２０ａにおいて、メインミラー４６が図７に示す観察位置から、撮影位置に向かって移動している状態を表したものである。移動部材４２は第２の位置に位置しており、第２実施形態に係るカメラに備えられたミラーボックス２０ａにおいて、図８に示す状態は、第１実施形態に係るカメラに備えられたミラーボックス２０における図４に示す状態に相当する。
【００６４】
第２実施形態に係るミラーボックス２０ａの内部でも、第１実施形態と同様に、メインミラー４６の回動によって空気の流れが発生させられる。すなわち、メインミラー４６の他方の端部４６ｂが移動を始めると、図３の矢印８０で示すように、他方の端部４６ｂの移動方向とは逆方向であるミラーボックス上面２４ａから下面３９ｂに向かう空気の流れが発生する。
【００６５】
ここで第２実施形態に係るミラーボックス２０ａでは、ミラーボックス下面３９ｂに貫通孔５６が形成されている。そのため、メインミラー４６の回動によって発生させられたミラーボックス上面２４ａから下面３９ｂに向かう空気の流れは、貫通孔５６を介してミラーボックス２０ａの外部に導かれる。したがって、ミラーボックス２０ａは、メインミラー４６の回動によって発生させられた空気の流れ（矢印８６）が、ミラーボックス２０ａの内部の形状に沿って向きを変化させられ、ミラーボックス前面１８ａから後面３８ａに向かう空気の流れになることを抑制している。
【００６６】
また、移動部材４２は、第１実施形態と同様に、ミラーボックス下面３９ｂから離れ、メインミラー４６の他方の端部４６ｂと、ミラーボックス下面３９ｂとの間を塞ぐように回動する。したがって移動部材４２は、ミラーボックス下面３９ｂに沿って、ミラーボックス前面１８ａからミラーボックス後面３８ａに向かう空気の流れ（矢印８７）を遮り、弱めることができる。
【００６７】
このように、第２実施家形態に係るミラーボックス２０ａでは、貫通孔５６によって、ミラーボックス前面１８ａから後面３８ａに向かう空気の流れが発生することを抑制し、それと合わせて、移動部材４２によって、ミラーボックス前面１８ａからミラーボックス後面３８ａに向かう空気の流れ（矢印８７）を遮り、弱めることができる。
【００６８】
したがって、第２実施家形態に係るミラーボックス２０ａでは、ミラーボックス２０ａの内部に異物が存在する場合であっても、当該異物が、空気の流れに乗って撮像素子３４の方向へ向かって移動する現象を効果的に抑制できる。また、第１実施形態と同様に、シャッタユニット３８のシャッタを開いて露光動作が行われる際に、ミラーボックス２０ａの周辺の異物が撮像素子３４付近まで移動して光学フィルタ３２等に付着することを防止できる。
【００６９】
なお、第２実施形態に係るミラーボックス２０ａの変形例として、図７に示す移動部材４２の配置を換えたものが挙げられる。すなわち、変形例に係るミラーボックス２０ａでは、移動部材４２が、図７に示す第１の位置において貫通孔５６を遮蔽する。第１位置に位置する移動部材４２が、貫通孔５６を遮蔽することによって、例えば撮像動作が行われていない状態等において、ミラーボックス２０ａの内部に異物が入ることを防止できる。また、ミラーボックス２０ａの遮蔽性を高めることができる。
その他の実施形態
【００７０】
第１実施形態および第２実施形態では、移動部材が第１位置と第２位置の間を回動しながら往復することによってミラーボックス内部の空気流を制御したが、移動部材の動きとしてはこれに限定されない。例えば、他の実施形態においては、移動部材が往復直線運動を行うものであってもよく、また、移動部材を回転運動させるものであってもよい。また、移動部材は、ミラーボックスの外部と内部の間を移動してもよく、さらに、ミラーボックスの内部には複数の移動部材が設けられていても良い。
【図面の簡単な説明】
【００７１】
【図１】図１は、本発明の一実施形態に係るデジタル一眼レフカメラの概略断面図である。
【図２】図２は、図１に示すミラーボックスの周辺を拡大して表した模式図であり、移動部材が第１位置に位置し、メインミラーが観察位置に位置する状態を表した図である。
【図３】図３は、図２に示すミラーボックスの周辺の他の状態を表した模式図であり、移動部材が第１位置から第２位置に移動する状態を表した図ある。
【図４】図４は、図２に示すミラーボックスの周辺の他の状態を表した模式図であり、移動部材が第２位置に位置する状態を表した図である。
【図５】図５は、図２に示すミラーボックスの周辺の他の状態を表した模式図であり、移動部材が第２位置から第１位置に移動する状態を表した図である。
【図６】図６は、図２に示すミラーボックスの周辺の他の状態を表した模式図であり、移動部材が第１位置に位置し、メインミラーが撮影位置に位置する状態を表した図である。
【図７】図７は、本発明の第２実施形態に係るカメラにおけるミラーボックスの周辺を拡大して表した模式図であり、移動部材が第１位置に位置し、メインミラーが観察位置に位置する状態を表した図である。
【図８】図８は、図７に示すミラーボックス周辺の他の状態を表した模式図であり、移動部材が第２位置に位置する状態を表した図である。
【図９】図９は、本発明の一実施形態に係る一眼レフカメラの概要を表すブロック図である。
【図１０】図１０は、図２に示す移動部材を表した斜視図である。
【符号の説明】
【００７２】
１８…  撮影レンズ
２０，２０ａ…  ミラーボックス
２４ａ…  ミラーボックス上面
３９ａ，３９ｂ…  ミラーボックス下面
４２…  移動部材
４２ａ…  縁部
４２ｂ…  平板部
４６…  メインミラー
５６…  貫通孔
【図１】
2009267957.tif 000003
【図２】
2009267957.tif 000004
【図３】
2009267957.tif 000005
【図４】
2009267957.tif 000006
【図５】
2009267957.tif 000007
【図６】
2009267957.tif 000008
【図７】
2009267957.tif 000009
【図８】
2009267957.tif 000010
【図９】
2009267957.tif 000011
【図１０】
2009267957.tif 000012